(57)【要約】【課題】ゴルフスイング姿勢矯正器の提供。【解決手段】一種のゴルフスイング姿勢矯正器、主に円弧状の片体を設け、該片体の中央部適切な位置に台を設け、該台の前側は水平区間と勾配部を設け、後ろ側は盛り上がる隆起部を設ける。該水平区間と勾配部に円形溝を設け、該隆起部にありつぎ溝を設け、片体の前後側に伸縮可能と伸縮不可の弾性ベルトを設ける。鋼球に連結しベルクロを設けた取付け片を設け、鋼球を台の円形溝に取り付けた後、当たり塊を台の上部に埋め込み、該取付け片は自在に設け、２枚の対称した片体を左肘と右肘に取り付け、取付け片を貼り合わせて固定する。ゴルフプレイのスイングのとき、肘の展開角度が過度に広げることを防止し、ゴルフスイングの姿勢をより正確に矯正できる。【選択図】図１
0003127014.tif 000002
【実用新案登録請求の範囲】
【請求項１】
２枚の片体は円弧状を形成し、その前後側に伸縮可能固定ベルトと重ねて置く伸縮不可固定ベルトをそれぞれ設け、中央部適切な場所に台を設け、該台の前側に水平区間を設け、該水平区間に連結して勾配部を設け、該水平区間と勾配部に円形溝を設け、該台の後側は盛り上げて隆起部を設け、該隆起部の表面にありつぎ溝を設け、
２枚の固定片を設け、その後側は鋼球に連結し、固定片はベルクロにより貼り合わせ、  二つの当たり塊は台に対応して設け、その前側に円弧状のガッター部を設け、その裾部にありつぎ突起肋を設け、
前記の構成要素を組み合わせするとき、該固定片は鋼球を台の円形溝に取り付けた後、当たり塊のありつぎ突起肋を台の上部のありつぎ溝に埋め込み、該固定片を移動可能にして、スイング姿勢矯正器を構成し、使用するときは、２枚の対称した片体を左右肘にそれぞれ取り付けて、固定片を互いに貼り合わせて、両肘の距離を固定することにより、ゴルフスイングのとき、肘の開きすぎを防止し、ゴルフスイングの姿勢をより正確に行えることを特徴とするゴルフスイング姿勢矯正器。
【請求項２】
該台に設ける水平区間および勾配部の円形溝内側の裾部にバネに取り付けるための挿入溝を設け、バネの弾性により、鋼球を外部の当たり塊のガッター部に設けて、鋼球の緩みを防止することを特徴とする請求項１記載のゴルフスイング矯正器。
【考案の詳細な説明】
【技術分野】
【０００１】
本考案は一種のゴルフスイング姿勢矯正器、特にゴルフスイングのとき、両肘の開きすぎを防止し、スイング姿勢がより正確により、技能を向上する矯正器に関わるものである。
【背景技術】
【０００２】
通常、ゴルフスイングのとき、両手を合わせてクラブを握り、上から下へ回転し、ボールを打ち出す。しかしながら、プレイヤーは習慣的に、肘を広げすぎて、打ち出すときの正確性ならびに力量とも影響される。一方、プレイヤーはスイング姿勢を自己観察できないことから、ボールを打ち出す瞬間にスイングの姿勢を修正することが難しい。このため、ゴルフスイング姿勢の矯正は、ゴルフプレイヤーが悩む課題となっている。
【考案の開示】
【考案が解決しようとする課題】
【０００３】
肘に取り付けて、ゴルフスイングのとき、肘の開きすぎを防止し、正確なスイングの姿勢を図る、一種のゴルフスイング姿勢矯正器を提供することを本考案の主な目的である。
【０００４】
前記のゴルフスイング姿勢矯正器は、主に円弧状の片体を有し、該片体の中央部適切場所に台を設け、該台の前側に水平区間と勾配を設け、後ろ側に盛り上がる隆起部を設ける。該水平区間と勾配に円形溝を設け、該隆起部にありつぎ溝を設ける。片体の前後側に、伸縮可能と伸縮不可の取付ベルトを設けるほか、鋼球に連結し、ベルクロを備える固定片を設ける。鋼球を台の円形溝に取り付けた後、裾部にありつぎ突起肋を設けた当たり塊を台の上部に埋め込んで、該固定片を自由活動できるように、２枚の対称した片体を左右肘にそれぞれつけておき、固定片を互いに貼り合わせて、両肘の距離を固定し、ゴルフプレイのとき、肘の開きすぎを防止し、スイングの姿勢をより正確に図る。
【０００５】
前記のゴルフスイング矯正器において、台の上部に埋め込む当たり塊の前側に円弧状のガッター部を設けて、鋼球の移動を制限する。
【０００６】
前記のゴルフスイング矯正器において、該台に設ける水平区間および勾配部の円形溝内側の裾部はバネを取り付けるための挿入溝を設け、鋼球の緩みを防止し、鋼球の移動空間を提供する。
【課題を解決するための手段】
【０００７】
請求項１の考案は、２枚の片体は円弧状を形成し、その前後側に伸縮可能固定ベルトと重ねて置く伸縮不可固定ベルトをそれぞれ設け、中央部適切な場所に台を設け、該台の前側に水平区間を設け、該水平区間に連結して勾配部を設け、該水平区間と勾配部に円形溝を設け、該台の後側は盛り上げて隆起部を設け、該隆起部の表面にありつぎ溝を設け、
２枚の固定片を設け、その後側は鋼球に連結し、固定片はベルクロにより貼り合わせ、  二つの当たり塊は台に対応して設け、その前側に円弧状のガッター部を設け、その裾部にありつぎ突起肋を設け、
前記の構成要素を組み合わせするとき、該固定片は鋼球を台の円形溝に取り付けた後、当たり塊のありつぎ突起肋を台の上部のありつぎ溝に埋め込み、該固定片を移動可能にして、スイング姿勢矯正器を構成し、使用するときは、２枚の対称した片体を左右肘にそれぞれ取り付けて、固定片を互いに貼り合わせて、両肘の距離を固定することにより、ゴルフスイングのとき、肘の開きすぎを防止し、ゴルフスイングの姿勢をより正確に行えることを特徴とするゴルフスイング姿勢矯正器としている。
請求項２の考案は、該台に設ける水平区間および勾配部の円形溝内側の裾部にバネに取り付けるための挿入溝を設け、バネの弾性により、鋼球を外部の当たり塊のガッター部に設けて、鋼球の緩みを防止することを特徴とする請求項１記載のゴルフスイング矯正器としている。
【考案の効果】
【０００８】
本考案はゴルフスイング姿勢矯正器、円形溝を備える台に鋼球に連結した固定片との組み合わせにより、本考案のスイング姿勢矯正器を構成し、肘部に取り付けて、ゴルフスイングのとき、肘の開きすぎを防止し、ゴルフスイングの姿勢をより正確に行える。
【考案を実施するための最良の形態】
【０００９】
図１、２と図３を合わせて参照する。本考案は主に２枚の円弧状の片体１を有する。該片体１の前後側に伸縮可能固定ベルト１１と重ねて置く伸縮不可固定ベルト１２をそれぞれ設け、該片体１中央部の適切な場所に台２を設け、該台２の前側に水平区間２１、該水平区間２１に連結する勾配部２２をそれぞれ設ける。該水平区間２１と勾配部２２に円形溝２３を設け、該円形溝２３内側の裾部にバネ２４を取り付けるための挿入溝２３１を設ける。該台２の後側に盛り上げて隆起部２５を設ける。該隆起部２５の表面にありつぎ溝２６を設ける。
【００１０】
固定片３を有し、その後側は鋼球３１に連結し、該固定片３にベルクロ３２、当たり塊４を台２に対応して設ける。その前側に円弧状のガッター部４１を設け、その裾部にありつぎ突起肋４２を設ける。
【００１１】
前記の構成要素の組み合わせするとき、該固定片３は鋼球３１を台２の円形溝２３に取り付けた後、当たり塊４のありつぎ突起肋４２を台２上部のありつぎ溝２６に埋め込み、該固定片３を移動可能にする。バネ２４の弾性により、鋼球３１の円形溝２３における移動空間を提供するため、鋼球３１を外側の当たり塊４のガッター部４１に当てて、鋼球３１の位置を制限し、鋼球３１の緩みを防止し、スイング姿勢矯正器を構成する。使用するときは、２枚の対称した片体１を左右肘にそれぞれ取り付けて、固定片３を貼り合わせて、両肘の距離を固定し、ゴルフスイングのとき、肘の開きすぎを防止し、スイング姿勢をより正確に図る。
【００１２】
図４に示すとおり、本考案は使用するときに、対称して設けた片体１を左右肘にそれぞれつけて、伸縮可能固定ベルト１１と重ねて置く伸縮不可固定ベルト１２を丈夫に締結し、２枚の固定片３はベルクロ３２との組み合わせに(取り付けるとき、二つの台２は互いに反対方向による)により、両肘の距離を固定する。一方、該２枚の固定片３は鋼球３１の滑り移動により、柔軟に転がすため、手の動作に影響しない。ゴルフスイングのとき、連結された固定片３の牽制でもって、肘の開きすぎを防止し、スイング姿勢をより正確に図る。
【００１３】
図５、６に示すとおり、本考案は肘に取り付けた後、両肘の距離を一定に固定できるため、ゴルフスイングのとき、肘の開きすぎを防止し、スイング姿勢をより正確にして、ボール打ち出すときの精確性と力量を提供できる。利用者はゴルフスイングのとき、該固定片３は肘の動作に従って移動し、鋼球３１の転がり特性、およびバネ２４の当て力量により、該２枚の固定片３は異なる角度に振れて、肘を一定の距離に固定し、固定片３の離脱を防止する。
【００１４】
前記した説明のとおり、円形溝を備える台に鋼球に連結した固定片との組み合わせにより、本考案のスイング姿勢矯正器を構成し、肘部に取り付けて、ゴルフスイングのとき、肘の開きすぎを防止し、ゴルフスイングの姿勢をより正確に行える実用的な考案で、新規性豊富な考案である。
【図面の簡単な説明】
【００１５】
【図１】本考案の立体図である。
【図２】本考案の立体分解図である。
【図３】本考案の断面視図である。
【図４】本考案の実施態様図である。
【図５】本考案の装置を使用したときのゴルフスイング動作図である。
【図６】本考案の取付け片の動作実施態様図である。
【符号の説明】
【００１６】
１  片体
１１  伸縮可能固定ベルト
１２  伸縮不可固定ベルト
２  台
２１  水平区間
２２  勾配部
２３  円形溝
２３１  挿入溝
２４  ばね
２５  隆起部
２６  ありつぎ溝
３  固定片
３１  鋼球
３２  ベルクロ
４  当たり塊
４１  ガッター部
４２  ありつぎ突起肋
【図１】
0003127014.tif 000003
【図２】
0003127014.tif 000004
【図３】
0003127014.tif 000005
【図４】
0003127014.tif 000006
【図５】
0003127014.tif 000007
【図６】
0003127014.tif 000008